(57)【要約】      （修正有）【課題】人目を惹きかつ装着者も極めて大きな満足感を得ることができる装身具を提供すること、そして、その装身具の指への装着が円滑となるのみならず、指の爪から甘皮の部位にやさしい装身具を提供する。【解決手段】付け爪１と、指輪２と、付け爪と指輪との少なくとも一方に付設した宝石３と、付け爪との指輪との間を連絡する鎖４と、付け爪支承部５ａを有しかつ象嵌細工部５ｂが設けられた樋状または筒状の指装着用象嵌パーツ５と、指の爪から甘皮の部位に貼着または装着するオイルシート片６とからなる装身具である。【選択図】図１
0003186518.tif 000002
【実用新案登録請求の範囲】
【請求項１】
付け爪（１）と、
指輪（２）と、
前記の付け爪（１）と前記の指輪（２）との少なくとも一方に付設した宝石（３）と、
前記の付け爪（１）と前記の指輪（２）との間を連絡する鎖（４）と、
付け爪支承部（５ａ）を有しかつ象嵌細工部（５ｂ）が設けられた樋状または筒状の指装着用象嵌パーツ（５）と、
指の爪から甘皮の部位に貼着または装着するオイルシート片（６）
とからなることを特徴とする装身具。
【請求項２】
前記のオイルシート片（６）が、指の爪から甘皮の部位を保護する成分を含浸または含有させた柔軟なシートである請求項１記載の装身具。
【請求項３】
前記の付け爪（１）、前記の指輪（２）、前記の鎖（４）、および前記の指装着用象嵌パーツ（５）に施された象嵌細工部（５ｂ）が、いずれも１８金製のものであることを特徴とする請求項１記載の装身具。
【考案の詳細な説明】
【技術分野】
【０００１】
本考案は、指（特に小指）に装着する使い方をする装身具（指用装身具）に関するものである。
【背景技術】
【０００２】
本件に関連すると思われる従来技術として、指に装着する装身具については下記の特許文献１があり、オイルシートについては下記の特許文献２がある。
【０００３】
（特許文献１）
−１−
付け爪に装着する装身具として、実開昭６３−１４８２１２号公報（特許文献１）に示された装身具の考案がある。（なお、その特許文献１の考案は、本考案者の考案にかかるものである。）
【０００４】
−２−
この文献１の考案の装身具は、付け爪１と指輪２とを鎖３で連絡した構成を有することを特徴とするものであり、その実施態様は次の如くである。
（ア）付け爪１の遊端側に小孔１ａを設けて該小孔１ａに鎖３の一端を取り付けると共に、鎖３の他端を指輪２に取り付けてなる態様。
（イ）付け爪１が貴金属製の付け爪である態様。
（ウ）付け爪１の背部および指輪に統一性のある装飾材４，４を設けてなる態様。
（エ）装飾材４が宝石である態様。
（オ）付け爪１が粘着固定型の付け爪である態様。
【０００５】
−３−
そして、上記の付け爪１の爪への装着方式は、粘着固定型（着脱を容易にすべく粘着材で貼着するタイプ）または接着固定型（シアノクリレート系瞬間接着剤で「本接着」するタイプ）のいずれであってもよいとされている。
【０００６】
（特許文献２）
−１−
特開２０１２−８７０９５号公報（特許文献２）の請求項１には、「肌用成分剤を配する肌用オイルと、肌用オイルを含有するオイルシート本体１とを供えるオイルシート２であって、前記オイルシート本体１は、肌用オイル中の肌用成分剤を保持し且つ肌に追従して密着するゲルであることを特徴とするオイルシート。」が示されている。
オイルシート本体１の代表例は、その段落００２３の記載のように、「流動パラフィンやスクワラン等のシート状オイルを、スチレン及び水添イソプレンからなるトリブロック共重合体で固めたゲル」である。
特許文献２の図１には、オイルシート本体１の形状の一例が示されている。
【０００７】
−２−
なお、その段落００２７の試験１（その図４と図５も参照）には、実施形態例の使用方法に関し、肌用オイルや化粧水を添加した「不織布」のパッドを入浴後の肌に貼付した試験例が示されている。
一方、その段落００２９〜００３０の試験３においては、肌用オイルを含浸したオイルシート本体を肌に貼付した場合には、不織布のパッド等を用いてオイルを皮膚に塗布する場合に比べて、肌用成分を肌へ適切に浸透させることができるとある。
その段落００１２の発明の効果の箇所にも、この特許文献２のオイルシート２を肌に貼付した際には、肌用オイル中の肌用成分が肌へ適切に浸透されるとの説明がある。
【先行技術文献】
【特許文献】
【０００８】
【特許文献１】実開昭６３−１４８２１２号公報
【特許文献２】特開２０１２−８７０９５号公報
【考案の概要】
【考案が解決しようとする課題】
【０００９】
（特許文献１について）
−１−
特許文献１の考案の装身具は、「（宝石４付きの）付け爪１」−「鎖３」−「（宝石４付きの）指輪２」の連結構造を有するものであり、付け爪１、鎖３、宝石４、指輪２の４部材がいずれも貴金属製であることもあって極めて高価であるにもかかわらず、市場で好評を博したものである。
−２−
しかしながら、時代が進んだ今日においては、「装着−取り外しのしやすさ」や「装着時の指の爪から甘皮の部位に対するやさしさ」を質的に向上させると共に、上品さ、高級感あるいは豪華さなどの点においても格段に進化した商品（装身具）を生み出すことが、市場に対する使命であると考える。
【００１０】
（特許文献２について）
−１−
特許文献２のゲル製のオイルシートは、オイルシート本体に肌用オイルを含有させることにより、オイル成分を肌に浸透させるようにしたものである。
このオイルシートは、通常のクリーム状の如き「指で肌に塗るタイプ」の肌用化粧品を、「シートを貼る」タイプの肌用化粧品に転化したものであるということができる。
−２−
このシート型の肌用化粧品は、化粧料としての形態および機能の点では実用的でかつ使いやすいものではあるが、装飾性、高級感、満足感が要求される装身具としての役割については、何ら意図されていない。
【００１１】
（考案の目的）
本考案は、このような背景下において、
第１には、人目を惹きかつ装着者も極めて大きな満足感を得ることができる装身具を提供すること、
第２には、その装身具の指への装着が円滑となるのみならず、指への装着時および装着後においても指の爪から甘皮の部位にやさしい装身具を提供すること、
を目的とするものである。
【課題を解決するための手段】
【００１２】
本考案の装身具は、
・付け爪（１）と、
・指輪（２）と、
・前記の付け爪（１）と前記の指輪（２）との少なくとも一方に付設した宝石（３）と、
・前記の付け爪（１）と前記の指輪（２）との間を連絡する鎖（４）と、
・付け爪支承部（５ａ）を有しかつ象嵌細工部（５ｂ）が設けられた樋状または筒状の指装着用象嵌パーツ（５）と、
・指の爪から甘皮の部位に貼着または装着するオイルシート片（６）
とからなることを特徴とするものである。
【００１３】
ここで、前記のオイルシート片（６）は、指の爪から甘皮の部位を保護する成分を含浸または含有させた柔軟なシートであることが特に好ましい。
【００１４】
そして、上記の付け爪（１）、上記の指輪（２）、上記の鎖（４）、および上記の指装着用象嵌パーツ（５）に施された象嵌細工部（５ｂ）は、いずれも１８金製のものであることが特に好ましい。
【考案の効果】
【００１５】
（本考案の独創性）
本考案の装身具は、本考案者の以前の出願である特許文献１の考案を発展させたものであるが、特許文献１の考案とは質的にも独創性の点でも飛躍的に進化している。
すなわち、本考案の装身具は、象嵌細工部（５ｂ）が設けられた指装着用象嵌パーツ（５）を備えるという工夫も加わって、人目を惹きかつ装着者も極めて大きな満足感を得ることができるものである。
加えて、本考案の装身具は、特定の形状・構造の指装着用象嵌パーツ（５）を有するものであるので、指への装着が極めて円滑であるのみならず、指の爪から甘皮の部位に貼着または装着するオイルシート片（６）を備えたものであるため、指の爪から甘皮の部位をやさしく保護する作用を有する。
【図面の簡単な説明】
【００１６】
【図１】本考案の装身具の一例を示した説明図であり、構成部品を簡略表示してある。
【図２】指装着用象嵌パーツ（５）の一例を示した斜視図である。
【図３】オイルシート片（６）の形状の例を示した平面図である。
【考案を実施するための形態】
【００１７】
以下、本考案の実施の形態を図に基いて詳細に説明する。
【００１８】
（構成部材）
本考案の装身具は、上記のように、
・付け爪（１）と、
・指輪（２）と、
・前記の付け爪（１）と前記の指輪（２）との少なくとも一方に付設した宝石（３）と、
・前記の付け爪（１）と前記の指輪（２）との間を連絡する鎖（４）と、
・付け爪支承部（５ａ）を有しかつ象嵌細工部（５ｂ）が設けられた樋状または筒状の指装着用象嵌パーツ（５）と、
・指の爪から甘皮の部位に貼着または装着するオイルシート片（６）
とからなる。
【００１９】
（付け爪（１））
付け爪（１）は、指の爪の湾曲した面に見合った形状を有するように構成する。
付け爪（１）の材質は、金、銀、白金などの貴金属であることが望ましい。特に金製、なかんずく１８金でできたものが最適である。
【００２０】
（指輪（２））
指輪（２）のリング部の材質は、金、銀、プラチナ、チタン、ジルコニウム、象牙、珊瑚などとすることができる。特に金製、なかんずく１８金が最適である。
ここで「１８金」とは、金の割合が１８／２４である合金である。金以外の残りの金属は銀、銅、パラジウムなどである。
【００２１】
（宝石（３））
上述の付け爪（１）および指輪（２）の少なくとも一方には、宝石（３）が付設される。  宝石（３）の例は、ダイヤモンド、鋼玉、ルビー、サファイア、エメラルド、アクアマリン、スピネル、緑柱石、黄玉、オパール、トルコ石、ネコ目石、トパーズ、真珠、サンゴなどである。
【００２２】
（鎖（４））
鎖（４）は、上記の付け爪（１）と上記の指輪（２）との間を連絡する部材である。鎖（４）としては、金属製の小環を多数つないだものや玉鎖などの狭義の鎖のほか、機能的に狭義の鎖と同様の役割を果たす線条物であれば、小要素の連設体でなくても、本考案に言う鎖（４）に含まれるものとする。
鎖（３）は、金、銀、白金などの貴金属製のもの、特に金製、なかんずく１８金製のものが最適である。
【００２３】
（指装着用象嵌パーツ（５））
−１−
指装着用象嵌パーツ（５）は、付け爪支承部（５ａ）を有しかつ象嵌細工部（５ｂ）が設けられた樋状または筒状の部材である。
ここで、指装着用象嵌パーツ（５）の本体部の形状が樋状または筒状となり、その本体部の延長部が付け爪支承部（５ａ）となる。象嵌細工部（５ｂ）は、指装着用象嵌パーツ（５）の本体部の外面側に設けられる。
図２は、指装着用象嵌パーツ（５）の一例を示した斜視図である。
−２−
指装着用象嵌パーツ（５）の材質については特に限定はないが、後に詳述する象嵌細工部（５ｂ）を設けることから、鉄生地でできたものすることが好ましい。
指装着用象嵌パーツ（５）の色調は任意であるが、高級感や上品さの点、および象嵌細工部（５ｂ）を際立たせる点で、黒色系とすることが望ましい。
【００２４】
（指装着用象嵌パーツ（５）の本体部）
−１−
指装着用象嵌パーツ（５）の本体部が樋（とい）状である場合は、指に挿入するだけで開度が変わる上、適度の力で指に支持されるので、使い勝手が良好である。
しかも、後述のように指装着用象嵌パーツ（５）の外面側に象嵌細工を施して象嵌細工部（２ａ）を設けるに際しては、樋を平面に広げた状態で細工を行う方が格段に作業しやすいので、この点からも指装着用象嵌パーツ（５）の本体部は樋状である方が有利である。
上記の「樋状」は、横断部の形状でＣ字状であってもよく、Ｃの字の開放部の両端側が若干重なったものであってもよい。いずれにせよ指への挿入時に容易にＣの部位の開度が変わり、指への装着後は指を軽く締め付ける。
−２−
なお、指装着用象嵌パーツ（５）の本体部は「筒状」であってもよく、このときの横断部の形状は○状となる。指の太さは顧客によって相違するが、内径の異なる何種類かのものを準備しておけばよく、顧客に指の太さに対応できる。
【００２５】
（指装着用象嵌パーツ（５）の付け爪支承部（５ａ））
−１−
指装着用象嵌パーツ（５）の本体部の延長部が付け爪支承部（５ａ）となるが、この付け爪支承部（５ａ）は、上述の付け爪（１）がぴったりと装着できるような形状や湾曲度を有するように設計される。
−２−
なお、上述の付け爪（１）の付け爪支承部（５ａ）への装着は、接着剤や粘着剤を用いて行うことができる。
この場合、固化しても弾力性を有するジェルタイプの瞬間接着剤を用いて、付け爪（１）付け爪支承部（５ａ）への付け爪（１）の装着を行うことが特に好ましい。
【００２６】
（指装着用象嵌パーツ（５）の象嵌細工部（５ｂ））
指装着用象嵌パーツ（５）の本体部には、象嵌細工部（５ｂ）が形成される。
象嵌細工部（５ａ）の形成は、当業者にはよく知られているように、典型的には、次のような工程に従ってなされる。
１：鉄生地を固定し、その表面に鏨（タガネ）を用いて布目模様の溝を彫る。
２：上記の溝に、鏨（タガネ）を用いて１８金の金線を埋め込む。
３：漆塗り−焼き入れ−研ぎの工程を数回繰り返す。
４：研磨仕上げを行う。
【００２７】
（オイルシート片（６））
−１−
オイルシート片（６）は、指の爪から甘皮の部位に貼着または装着するシート状の部材である。この場合、オイルシート片（６）が指の他の部位まで覆っていても差し支えない。
−２−
オイルシート片（６）としては、不織布などの基材に流動パラフィンや各種の肌用オイルを担持させたものが好適である。また、肌用オイルを含有するゲル状の重合体シートも好適である。
−３−
オイルシート片（６）の形状は任意であるが、デザイン化した形状とした方が好ましいことが多い。
オイルシート片（６）の形状の例を図３に示す。図３（Ａ）は、ブリリアンカットを平面風にイメージした形状である。図３（Ｂ）は、蝶をイメージした形状である。
−４−
オイルシート片（６）の片面側に層状（または点列を面状に配置した層状の）粘着剤層を設けておき、指に貼着または装着したときに外れ落ちないようにしておくこともできる。
【００２８】
（１８金製の各部材）
上に述べた付け爪（１）、指輪（２）、鎖（４）、象嵌細工部（５ｂ）は、いずれも１８金（金の割合が１８／２４である合金）製のものであることが特に好ましい。
１８金は、貴金属の中でも独特のイメージを有する上、上記の各部材をいずれも１８金で統一すると、特に女性にとってはそのイメージが何倍にも増幅されるからである。
【実施例】
【００２９】
次に実施例（および比較例）をあげて本考案をさらに説明する。
【００３０】
［実施例１］
図１に示した本考案の装身具を次のようにして製作した。
【００３１】
（装身具の準備）
−１−
付け爪（１）は１８金製のものであり、指の爪の湾曲した面に見合った形状を有している。
なお、この付け爪（１）の後述の付け爪支承部（５ａ）への装着（接着）は、液垂れがなくかつ硬化後も弾力性を示すジェルタイプの瞬間接着剤を用いて行うことが好ましく、そのため、本考案の装身具のセットには、そのような瞬間接着剤を備えておくのが通常である。
【００３２】
−２−
指輪（２）は１８金でできたものであり、上記の付け爪（１）と指輪（２）との間を連絡する鎖（４）も１８金でできている。
この鎖（４）は、上記の付け爪（１）側に設けてある留め具と、上記の指輪（２）側に設けてある留め具との間に連結される。
【００３３】
−３−
上記の付け爪（１）には宝石（３）を装着してあり、上記の指輪（２）にも宝石（３）を装着してある。
【００３４】
−４−
（５）は指装着用象嵌パーツであって、鉄生地でできており、かつ黒色を有している。
この指装着用象嵌パーツ（５）は、樋状の本体部の一方が延長して先細になっていて、その先細部が付け爪支承部（５ａ）となったものである。そして、樋状の本体部の外面側には、象嵌細工部（５ｂ）が設けられている。
この、象嵌細工部（５ｂ）は、京都市の専門会社に依頼して、鉄生地に鏨（タガネ）を用いて彫った布目模様の溝に１８金の金線を埋め込み、漆塗り−焼き入れ−研ぎの工程を必要回数繰り返してから、研磨仕上げすることにより作製してもらったものである。
なお、平板状の鉄生地に上記の象嵌細工を施してから、全体を湾曲させて、図１のような形状に変形させている。
【００３５】
−５−
（６）は指の爪から甘皮の部位に貼り付けるオイルシート片であり、不織布でできた基材に流動パラフィンと各種の肌用オイルとの双方を担持させたものからなる。基材の裏面には粘着剤層を設けてあり、その上から剥離シートを貼着してある。
なお、オイルシート片（６）は、肌用オイルを含有するゲル状の重合体シートであってもよい。
【００３６】
（装身具の指への装着）
−１−
宝石（３）付きの指装着用象嵌パーツ（５）の付け爪支承部（５ａ）に付け爪（１）を接着し、かつ、その付け爪（１）と宝石（３）付きの指輪（２）との間を鎖（４）で連絡したものを準備しておいた。
【００３７】
−２−
利き手とは反対側の手の小指の爪から甘皮の部位に上記のオイルシート片（６）を貼付しておき、その小指に指輪（２）を嵌めると共に上記の宝石（３）および付け爪（１）付きの指装着用象嵌パーツ（５）を嵌め込んだ。
【００３８】
−３−
上記の装身具は、指装着用象嵌パーツ（５）を指へ装着するものであるので、指への装着が円滑でありかつ指に長時間装着しても指肌にやさしく、何ら違和感は生じなかった。
また、上記の装身具は大いに人目を惹くものであり、さらには装着者自身も極めて大きな満足感を得ることができるものであった。
【産業上の利用可能性】
【００３９】
本考案の装身具は、装着者が指（特に小指）に装着する高級ないし最高級の装身具として有用であり、かつ使い勝手がよいものである。
【符号の説明】
【００４０】
（１）…付け爪、
（２）…指輪、
（３）…宝石、
（４）…鎖、
（５）…指装着用象嵌パーツ、
（５ａ）…付け爪支承部、
（５ｂ）…象嵌細工部、
（６）…オイルシート片
【図１】
0003186518.tif 000003
【図２】
0003186518.tif 000004
【図３】
0003186518.tif 000005